(57)【要約】      （修正有）【課題】疲労回復、血行促進、筋肉の疲れを取ったり筋肉のこりをほぐし、神経痛、筋肉痛を緩和する機能に優れ、リンパ浮腫の治療にも有効なエアーマッサージ機を提供する。【解決手段】仰向けに寝た状態の片脚の付け根ａから足先までを挿入可能な筒状で、空気供給により内側に圧迫力を付与できるように脚用エアーバッグ１を構成する。さらに、前記脚用エアーバッグ１に挿入した脚のかかとに相当する付近の下部に固定され、空気供給により膨らんで前記脚用エアーバッグ１の足首側を上に挙げる挙上用エアーバッグ６と、脚用エアーバッグ１と挙上用エアーバッグ６に対して同時にエアーの供給及び排出を行うエアー供給装置３と排気弁５とからエアーマッサージ機を形成する。【選択図】図１
0003168980.tif 000002
【実用新案登録請求の範囲】
【請求項１】
仰向けに寝た状態の片脚の付け根から足先までを挿入可能な筒状で、空気供給により内側に圧迫力を付与する脚用エアーバッグと、前記脚用エアーバッグに挿入した脚のかかとに相当する付近の下部に固定され、空気供給により膨らんで前記脚用エアーバッグの足首側を上に挙げる挙上用エアーバッグと、脚用エアーバッグと挙上用エアーバッグに対して同時にエアーの供給及び排出を行うエアー供給装置とからなることを特徴とするエアーマッサージ機。
【請求項２】
横に伸ばした片腕の付け根から手先までを挿入可能な筒状で、空気供給により内側に圧迫力を付与する腕用エアーバッグと、前記腕用エアーバッグに挿入した腕の手に相当する付近の下部に固定され、空気供給により膨らんで前記腕用エアーバッグの手首側を上に挙げる挙上用エアーバッグと、腕用エアーバッグと挙上用エアーバッグに対して同時にエアーの供給及び排出を行うエアー供給装置とからなることを特徴とするエアーマッサージ機。
【請求項３】
仰向けに寝た状態の片脚の付け根から足先までを挿入可能な筒状で、かつ、挿入した脚のかかとに相当する部分に下側に突出する挙上用柱状体を連接し、空気供給により内側に圧迫力を付与すると共に、挙上用柱状体が膨らんで起立して足首側を上に挙げる脚用エアーバッグと、脚用エアーバッグに対してエアーの供給及び排出を行うエアー供給装置とからなることを特徴とするエアーマッサージ機。
【請求項４】
横に伸ばした片腕の付け根から手先までを挿入可能な筒状で、かつ、挿入した腕の手に相当する部分に下側に突出する挙上用柱状体を連接し、空気供給により内側に圧迫力を付与すると共に、挙上用柱状体が膨らんで起立して手首側を上に挙げる腕用エアーバッグと、腕用エアーバッグに対してエアーの供給及び排出を行うエアー供給装置とからなることを特徴とするエアーマッサージ機。
【考案の詳細な説明】
【技術分野】
【０００１】
この考案は、脚や腕に圧迫と開放を交互に繰り返すことで、脚や腕をほぐして疲れやこりを取り除くエアーマッサージ機に関するものである。
【背景技術】
【０００２】
従来より、脚を挿入可能なズボン等の形状、或いは手（腕）を入れられる形状の筒状で、使用者がそれを装着して、コンプレッサーを内蔵した機械で空気を送りエアーバッグを膨らませ、エアーバッグ内を加圧して保持し、脚や腕に圧迫力を与え、その後空気を抜く陰圧状態とし、この加圧、陰圧を繰り返すことで脚や腕の血行をよくするエアーマッサージ機があった。
【０００３】
出願人は、従来より上記のようなエアーバッグを用いた脚、腕、体用のエアーマッサージ機を種々開発し、また、骨盤矯正機能やＯ脚矯正機能を持たせたりしたものもあった（例えば、特許文献１，２参照）。
【０００４】
更に、出願人は、エアー供給装置内のコンプレッサーからエアーバッグ内にエアーを導入し、続いてコンプレッサーからエアーの供給を停止して一定時間圧力を保持した後、エアー供給装置内の電磁弁からエアーを排出すると共に、エアーバッグに設けた急速排気弁にてエアーバッグ内からエアーを急速排気でき、エアーの供給と排出を繰り返し行うことによりエアーバッグによる圧迫と解放を繰り返し行えるような急速排気弁を提案し、エアーバッグの血行促進作用により寄与するようにした（例えば、特許文献３参照）。
【先行技術文献】
【特許文献】
【０００５】
【特許文献１】特開平１１−１５１２５９号公報
【特許文献２】特許第２７７３８３２号公報
【特許文献３】特許第３０１７６９５号公報
【考案の概要】
【考案が解決しようとする課題】
【０００６】
ところで、特許文献１や特許文献２のエアーマッサージ機により、血行を良くし、また骨盤矯正やＯ脚矯正等の有効な効果を発揮していたが、エアーの加圧、陰圧による脚、腕、体に対する圧迫、開放による血行促進のマッサージや矯正のための加圧が主目的で、それ以上の血行促進のための動作、作用が望まれていた。
【０００７】
また、近年、これら血行促進以外にも、例えばリンパ浮腫の病気に対しても、エアーマッサージ機を活用した治療方法が試行錯誤されてきている。
【０００８】
リンパ浮腫とは、生まれつきの一次性の他、乳癌、子宮癌、前立腺癌などの手術後に、リンパ節が切除または破壊されたために起こる二次性のものなど、結構多くみられる病気であり、多くの場合、色の変化や傷みはないが、目に見えて脚または腕が太くなってしまう病気であるが、これらのリンパ浮腫に対しても有効なマッサージ機が望まれていた。
【０００９】
この考案は、上記のような課題を解決し、従来のエアーマッサージ機よりも、疲労回復、血行促進、筋肉の疲れを取ったり筋肉のこりをほぐし、神経痛、筋肉痛を緩和する機能に優れると共に、更にリンパ浮腫の治療にも有効なエアーマッサージ機を提供することを課題とするものである。
【課題を解決するための手段】
【００１０】
上記のような課題を解決するため、請求項１の考案は、仰向けに寝た状態の片脚の付け根から足先までを挿入可能な筒状で、空気供給により内側に圧迫力を付与する脚用エアーバッグと、前記脚用エアーバッグに挿入した脚のかかとに相当する付近の下部に固定され、空気供給により膨らんで前記脚用エアーバッグの足首側を上に挙げる挙上用エアーバッグと、脚用エアーバッグと挙上用エアーバッグに対して同時にエアーの供給及び排出を行うエアー供給装置とからなるエアーマッサージ機である。
【００１１】
請求項２の考案は、横に伸ばした片腕の付け根から手先までを挿入可能な筒状で、空気供給により内側に圧迫力を付与する腕用エアーバッグと、前記腕用エアーバッグに挿入した腕の手に相当する付近の下部に固定され、空気供給により膨らんで前記腕用エアーバッグの手首側を上に挙げる挙上用エアーバッグと、腕用エアーバッグと挙上用エアーバッグに対して同時にエアーの供給及び排出を行うエアー供給装置とからなるエアーマッサージ機である。
【００１２】
請求項３の考案は、仰向けに寝た状態の片脚の付け根から足先までを挿入可能な筒状で、かつ、挿入した脚のかかとに相当する部分に下側に突出する挙上用柱状体を連接し、空気供給により内側に圧迫力を付与すると共に、挙上用柱状体が膨らんで起立して足首側を上に挙げる脚用エアーバッグと、脚用エアーバッグに対してエアーの供給及び排出を行うエアー供給装置とからなるエアーマッサージ機である。
【００１３】
請求項４の考案は、横に伸ばした片腕の付け根から手先までを挿入可能な筒状で、かつ、挿入した腕の手に相当する部分に下側に突出する挙上用柱状体を連接し、空気供給により内側に圧迫力を付与すると共に、挙上用柱状体が膨らんで起立して手首側を上に挙げる腕用エアーバッグと、腕用エアーバッグに対してエアーの供給及び排出を行うエアー供給装置とからなるエアーマッサージ機である。
【００１４】
この考案のエアーマッサージ機は、エアー供給装置を用いたエアーの供給、排出作用に伴う脚や腕のマッサージ機能と、このエアー供給装置に接続された挙上用エアーバッグ又は挙上用柱状体がエアーの供給、排出に従って膨張、収縮することで、各脚用又は腕用エアーバッグの足首側や手首側の位置が上昇する。即ち、脚や手が圧迫されると同時に足首側や手首側が上に持ち上げられ、脚や腕の付け根の関節に運動と刺激を与えると共に、重力の作用により体内の血液やリンパ液が体側（心臓側）に流れやすくなり、マッサージと共に体液の流通を促進する。
【００１５】
また、この考案では、挙上用エアーバッグや挙上用柱状体の作用により手や足先が上がるが、脚は１０ｃｍ弱上げれば十分とされており、同時に周囲から力が加わるとリンパ管が周囲の組織から圧迫刺激されてリンパ液の流れが盛んになる。
【考案の効果】
【００１６】
以上、請求項１乃至請求項４の考案のエアーマッサージ機によると、エアー供給装置の作用により空気を加圧、陰圧を繰り返すことで、脚や腕への圧迫及び開放によるマッサージ機能により、疲労回復、血行促進、筋肉の疲れを取り、筋肉のこりをほぐし、神経痛や筋肉痛を緩和するという作用効果を発揮する。
【００１７】
また、上記した脚や腕へのマッサージ機能と共に、手先又は足先を上下させる動作が繰り返し行なわれ、腕又は脚の付け根の関節を動かせ、腕又は脚の付け根に集中しているリンパ節を刺激させながら、血行促進することで、浮腫みに効果があると考えられる。
【００１８】
更に、乳癌、子宮癌等でリンパ節を切除されておこるリンパ浮腫は、腕又は脚の付け根のリンパ液の流れを良くすることが重要で、リンパ管に負担をかけないように、手又は足を上げすぎず、加圧のマッサージをしながらリンパ液の流れを良くすることが肝要であるが、腕又は脚が上がっている時は、リンパ液等は静水圧較差（水が高い所から低い所へ流れる力）で身体の中枢部（心臓）に向かって流れる作用があり、リンパ液の流れが良くなり、体に無理をかけずにリンパ浮腫の治療に有効である。
【図面の簡単な説明】
【００１９】
【図１】この考案の脚用エアーマッサージ機で、（ａ）はエアーの供給前の状態を示す正面図、（ｂ）はエアー供給状態を示す正面図、（ｃ）は（ｂ）の正面断面図である。
【図２】この考案の腕用エアーマッサージ機で、（ａ）はエアーの供給前の状態を示す正面図、（ｂ）はエアー供給状態を示す正面図、（ｃ）は（ｂ）の正面断面図である。
【図３】この考案の脚用エアーマッサージ機で、（ａ）はエアーの供給前の状態を示す正面図、（ｂ）はエアー供給状態を示す正面図、（ｃ）は（ｂ）の正面断面図である。
【図４】この考案の腕用エアーマッサージ機で、（ａ）はエアーの供給前の状態を示す正面図、（ｂ）はエアー供給状態を示す正面図、（ｃ）は（ｂ）の正面断面図である。
【考案を実施するための形態】
【００２０】
以下、この考案の実施の形態を添付図面を参照して説明する。
図１に示す第１の実施形態は、請求項１に係る考案の脚用のエアーマッサージ機を示すものであり、（ａ）はエアーの供給前（又は排出後）の状態を示し、（ｂ）はエアーが供給された状態を示し、（ｃ）は（ｂ）の状態の断面図である。
【００２１】
まず、マッサージを受ける人Ａは、仰向けに寝た状態で脚を、脚の付け根部分ａまで脚用エアーバッグ１に挿入する。
【００２２】
上記脚用エアーバッグ１は、可撓性のある合成樹脂等のシートを用いて構成され、一端側が開放された筒状としており、その表面側と内側との間に空気室２を設けた袋体であり、この空気室２へエアーが供給されると、空気室２は膨張し、この際、脚用エアーバッグ１の内側にも空気室２は膨張することとなり、この空気室２の膨張により脚全体に圧迫力を加えることになり、空気室２からエアーを抜くと、脚全体への圧迫が開放され、これを繰り返すことにより脚へのマッサージ効果が生じる。
【００２３】
なお、空気室２へのエアーの供給及び排出は、エアー供給装置３が作動してエアーの供給、停止、排出を繰り返し行い、このエアー供給装置３から接続したホース４が脚用エアーバッグ１の排気弁５に接続されることによって行われる。
【００２４】
即ち、排気弁５は、特許文献３の急速排気弁と同等の作用を行い、ホース４を通じてのエアーの供給時は、脚用エアーバッグ１の空気室２内へエアーを導入し、エアー供給の停止、排出時は、脚用エアーバッグ１の空気室２内からのエアーを急速に排気することで、空気室２の膨張による圧迫と空気室２からの排気による圧迫の開放が繰り返される。
【００２５】
脚用エアーバッグ１の足首付近のかかと側（下側）には、挙上用エアーバッグ６が接続固定されており、この挙上用エアーバッグ６は、その内部に空気室７が設けられ、脚用エアーバッグ１に接続されるホース４を途中で枝分かれさせて、前記排気弁５と同様の構造の排気弁８に接続されており、エアー供給装置３からのエアーの供給、停止、排出に従い、空気室７は膨張、縮小を繰り返し、脚用エアーバッグ１のかかと側は上下動を繰り返すことになる。
【００２６】
こうすることによって、エアー供給時に脚用エアーバッグ１が脚全体への締め付けるマッサージを施すと同時に、脚の足首側を上に挙げることで、脚の付け根ａの関節を動かし、また、足首側が上になったことで、血液やリンパ液等の体液が静水圧較差により心臓側に流れ、血行促進や、リンパ浮腫の治療に有効となる。
【００２７】
図２に示す第２の実施形態は、請求項２に係る考案の腕用のエアーマッサージ機を示すものであり、（ａ）はエアーの供給前（又は排出後）の状態を示し、（ｂ）はエアーが供給された状態を示し、（ｃ）は（ｂ）の状態の断面図である。
【００２８】
まず、マッサージを受ける人Ａは、仰向けに寝た状態で腕を、腕の付け根部分ｂまで腕用エアーバッグ１１に挿入する。
【００２９】
上記腕用エアーバッグ１１は、第１の実施形態の脚用エアーバッグ１と同様に可撓性のある合成樹脂等のシートを用いて構成され、一端側が開放された筒状としており、その表面側と内側との間に空気室１２を設けた袋体であり、この空気室１２へエアーが供給されると、空気室１２は膨張し、この際、腕用エアーバッグ１１の内側にも空気室１２は膨張することとなり、この空気室１２の膨張により腕全体に圧迫力を加えることになり、空気室１２からエアーを抜くと、腕全体への圧迫が開放され、これを繰り返すことにより腕へのマッサージ効果が生じる。
【００３０】
なお、空気室１２へのエアーの供給及び排出は、第１の実施形態と同様、エアー供給装置１３が作動してエアーの供給、停止、排出を繰り返し行い、このエアー供給装置１３から接続したホース１４が腕用エアーバッグ１１の排気弁１５に接続されることによって行われる。
【００３１】
即ち、排気弁１５は、第１の実施形態の排気弁５と同等の作用を行い、ホース１４を通じてのエアーの供給時は、腕用エアーバッグ１１の空気室１２内へエアーを導入し、エアー供給の停止、排出時は、腕用エアーバッグ１１の空気室１２内からのエアーを急速に排気することで、空気室１２の膨張による圧迫と空気室１２からの排気による圧迫の開放が繰り返される。
【００３２】
腕用エアーバッグ１１の手首付近の下側には、挙上用エアーバッグ１６が接続固定されており、この挙上用エアーバッグ１６は、その内部に空気室１７が設けられ、腕用エアーバッグ１１に接続されるホース１４を途中で枝分かれさせて前記排気弁１５と同様の構造の排気弁１８に接続されており、エアー供給装置１３からのエアーの供給、停止、排出に従い、空気室１７は膨張、縮小を繰り返し、腕用エアーバッグ１１の手首側は上下動を繰り返すことになる。
【００３３】
こうすることによって、エアー供給時に腕用エアーバッグ１１が腕全体への締め付けるマッサージを施すと同時に、腕の手首側を上に挙げることで、腕の付け根ｂの関節を動かし、また、手首側が上になったことで、血液やリンパ液等の体液が静水圧較差により心臓側に流れ、血行促進や、リンパ浮腫の治療に有効となる。
【００３４】
図３に示す第３の実施形態は、請求項３に係る考案の脚用のエアーマッサージ機を示すものであり、（ａ）はエアーの供給前（又は排出後）の状態を示し、（ｂ）はエアーが供給された状態を示し、（ｃ）は（ｂ）の状態の断面図である。
【００３５】
まず、マッサージを受ける人Ａは、仰向けに寝た状態で脚を、脚の付け根部分ａまで脚用エアーバッグ２１に挿入する。
【００３６】
上記脚用エアーバッグ２１は、第１，第２の実施形態と同様に可撓性のある合成樹脂等のシートを用いて構成され、一端側が開放された筒状としており、その表面側と内側との間に空気室２２を設けた袋体であり、この空気室２２へエアーが供給されると、空気室２２は膨張し、この際、脚用エアーバッグ２１の内側にも空気室２２は膨張することとなり、この空気室２２の膨張により脚全体に圧迫力を加えることになり、空気室２２からエアーを抜くと、脚全体への圧迫が開放され、これを繰り返すことにより脚へのマッサージ効果が生じる。
【００３７】
なお、空気室２２へのエアーの供給及び排出は、エアー供給装置２３が作動してエアーの供給、停止、排出を繰り返し行い、このエアー供給装置２３から接続したホース２４が脚用エアーバッグ２１の排気弁２５に接続されることによって行われる。
【００３８】
即ち、排気弁２５は、第１や第２の実施形態の排気弁５や１５と同等の作用を行い、ホース２４を通じてのエアーの供給時は、脚用エアーバッグ２１の空気室２２内へエアーを導入し、エアー供給の停止、排出時は、脚用エアーバッグ２１の空気室２２内からのエアーを急速に排気することで、空気室２２の膨張による圧迫と空気室２２からの排気による圧迫の開放が繰り返される。
【００３９】
脚用エアーバッグ２１の足首付近のかかと側（下側）には、挙上用柱状体２６が一体に設けられており、この挙上用柱状体２６は、その内部に空気室２２が充填されている。
【００４０】
挙上用柱状体２６は空気室２２にエアーが供給されていない状態では、足の重量により収縮して図３（ａ）のような状態となっているが、エアー供給装置２３からホース２４を通じて脚用エアーバッグ２１の空気室２２にエアーが供給されると、脚の周りの空気室２２による脚への圧迫と同時に、挙上用柱状体２６内部の空気室２２が、挙上用柱状体２６を膨らませて、結果、挙上用柱状体２６が図３（ｂ）のように立ち上がり、足首側を上に挙げることになる。
【００４１】
上記作用による脚に対する効果の説明は、第１の実施形態と同様であり説明を省略するが、この実施形態の場合、空気室２２が脚用エアーバッグ２１全体と挙上用柱状体２６に共通するので、ホース２４の枝分かれが必要無く、また排気弁２５が一つで済むというメリットがある。
【００４２】
図４に示す第４の実施形態は、請求項４に係る考案の腕用のエアーマッサージ機を示すものであり、（ａ）はエアーの供給前（又は排出後）の状態を示し、（ｂ）はエアーが供給された状態を示し、（ｃ）は（ｂ）の状態の断面図である。
【００４３】
まず、マッサージを受ける人Ａは、仰向けに寝た状態で腕を、腕の付け根部分ｂまで腕用エアーバッグ３１に挿入する。
【００４４】
上記腕用エアーバッグ３１は、第１乃至第３の実施形態と同様に可撓性のある合成樹脂等のシートを用いて構成され、一端側が開放された筒状としており、その表面側と内側との間に空気室３２を設けた袋体であり、この空気室３２へエアーが供給されると、空気室３２は膨張し、この際、腕用エアーバッグ３１の内側にも空気室３２は膨張することとなり、この空気室３２の膨張により腕全体に圧迫力を加えることになり、空気室３２からエアーを抜くと、腕全体への圧迫が開放され、これを繰り返すことにより腕へのマッサージ効果が生じる。
【００４５】
なお、空気室３２へのエアーの供給及び排出は、エアー供給装置３３が作動してエアーの供給、停止、排出を繰り返し行い、このエアー供給装置３３から接続したホース３４が腕用エアーバッグ３１の排気弁３５に接続されることによって行われる。
【００４６】
即ち、排気弁３５は、第１乃至第３の実施形態の排気弁５、１５、２５と同等の作用を行い、ホース３４を通じてのエアーの供給時は、腕用エアーバッグ３１の空気室３２内へエアーを導入し、エアー供給の停止、排出時は、腕用エアーバッグ３１の空気室３２内からのエアーを急速に排気することで、空気室３２の膨張による圧迫と空気室３２からの排気による圧迫の開放が繰り返される。
【００４７】
腕用エアーバッグ３１の手首付近の下側には、挙上用柱状体３６が一体に設けられており、この挙上用柱状体３６は、その内部に空気室３２が充填されている。
【００４８】
挙上用柱状体３６は空気室３２にエアーが供給されていない状態では、腕の重量により収縮して図４（ａ）のような状態となっているが、エアー供給装置３３からホース３４を通じて腕用エアーバッグ３１の空気室３２にエアーが供給されると、腕の周りの空気室３２による腕への圧迫と同時に、挙上用柱状体３６内部の空気室３２が、挙上用柱状体３６を膨らませて、結果、挙上用柱状体３６が図３（ｂ）のように立ち上がり、手首側を上に挙げることになる。
【００４９】
上記作用による腕に対する効果の説明は、第２の実施形態と同様であり説明を省略するが、この実施形態の場合、空気室３２が腕用エアーバッグ３１全体と挙上用柱状体３６に共通するので、ホース３４の枝分かれが必要無く、また排気弁３５が一つで済むというメリットがある。
【００５０】
以上、この考案の実施形態について説明したが、この考案は上記実施形態に限定されるものではなく、この考案の目的の範囲内にて各部を適宜変更して実施できることは言うまでもない。
【００５１】
例えば、上記各実施形態では、エアーの供給及び排出を行うエアー供給装置３、１３、２３、３３と、排気作用を有する排気弁５、１５、２５、３５の組み合わせで行ったが、実施形態の排気弁を用いず、エアー供給装置と各エアーバッグをホースで直接接続し、排気時は、エアー供給装置内の電磁弁の作用でエアーを放出し、ホースを通じて負圧を与えてエアーを抜いていくようにしてもよく、この場合は排気弁を用いた場合よりゆっくりエアーが抜ける。
【符号の説明】
【００５２】
１、２１  脚用エアーバッグ
２、１２、２２、３２  空気室
３、１３、２３、３３  エアー供給装置
４、１４、２４、３４  ホース
５、１５、２５、３５  排気弁
６、１６  挙上用エアーバッグ
７、１７  空気室
８、１８  排気弁
１１、３１  腕用エアーバッグ
２６、３６  挙上用柱状体
Ａ  人
ａ  脚の付け根部分
ｂ  腕の付け根部分
【図１】
0003168980.tif 000003
【図２】
0003168980.tif 000004
【図３】
0003168980.tif 000005
【図４】
0003168980.tif 000006